(57)【特許請求の範囲】
【請求項１】
コード部材内に間隔を置いて接点線入りの２本の下側導電ゴム体を並設し、該下側導電ゴム体上に板状をした上側導電ゴム体を間隙を置いて設け、該上側導電ゴム体の中間に前記２本の下側導電ゴム体間に相対間隙（Ａ）を存して嵌入する中間垂体を設け、該２本の下側導電ゴム体間の下半に嵌入する該中間垂体に当接して下側導電ゴム体と上側導電ゴム体間の間隙を保持する隆起条を設け、且つ上側導電ゴム体の非軸方向の両側に外側垂縁を設け、該外側垂縁と下側導電ゴム体の外側との間に外側間隙（Ｂ）を設けて線状スイッチを形成し、該線状スイッチの配線の弛るみ，斜め潰れなどの変形が生じても該中間垂体が一方の下側導電ゴム体に当って外側間隙（Ｂ）を保持しつづけて、コード部材を押さない限りＯＮ作動が生じないように該外側間隙（Ｂ）を該中間垂体と下側導電ゴム体間の相対間隙（Ａ）より大としたことを特徴とする線状スイッチ。
【発明の詳細な説明】
【０００１】
【発明が属する技術分野】
この発明は上方からの押圧は勿論のこと、斜め上方からの押圧によってもスイッチをＯＮする線状スイッチであって、適度の圧力をもって押さないかぎりスイッチＯＮすることなしに曲折配線を可能とし、且つ歪み，潰れなどの変形が生じても非接続状態を維持するすぐれた線状スイッチに関するものである。
【０００２】
【従来の技術】
従来この種の線状スイッチとしては実用新案登録公報第２５９８６５２号がある。該公報はコード部材６内の一対の接点線３ａ，３ｂ間に大きく高い支点突条５を設けて上側のブリッジ導線４との間の間隔が確実に保たれるようにしたことを記載している。
【０００３】
【発明が解決しようとする課題】
しかしながら上記の公報は中央の大きく高い支点突条５によって、垂直方向より押圧したときは接点線３ａ，３ｂとブリッジ導線４が接触してスイッチをＯＮするが、斜め上方からの押しによっては支点突条５が障害して被圧側の接点線３ａまたは３ｂしかブリッジ導線４に接触しないために斜め方向からの押圧ではスイッチがＯＮしないという課題があった。
【０００４】
【課題を解決するための手段】
本発明は、コード部材内に間隔を置いて接点線入りの２本の下側導電ゴム体を並設し、該下側導電ゴム体上に板状をした上側導電ゴム体を間隙を置いて設け、該上側導電ゴム体の中間に前記２本の下側導電ゴム体間に相対間隙（Ａ）を存して嵌入する中間垂体を設け、該２本の下側導電ゴム体間の下半に嵌入する該中間垂体に当接して下側導電ゴム体と上側導電ゴム体間の間隙を保持する隆起条を設け、且つ上側導電ゴム体の非軸方向の両側に外側垂縁を設け、該外側垂縁と下側導電ゴム体の外側との間に外側間隙（Ｂ）を設けて線状スイッチを形成し、該線状スイッチの配線の弛るみ，斜め潰れなどの変形が生じても該中間垂体が一方の下側導電ゴム体に当って外側間隙（Ｂ）を保持しつづけて、コード部材を押さない限りＯＮ作動が生じないように該外側間隙（Ｂ）を該中間垂体と下側導電ゴム体間の相対間隙（Ａ）より大として、曲折配線による圧縮や歪みなどにより上下左右方向に変形が生じてもコード部材を押し操作しない限りスイッチがＯＮしないようにするとともに、直上方は勿論のこと、斜め上方からの押圧によってもスイッチがＯＮするようにして、かかる課題を解決するようにしたのである。
【０００５】
【発明の実施の形態】
反発復元性を有す絶縁体にてなるコード部材９内の下面隆起条９ａを挟んで断面が正方形状で中心に接点線１０ａ，１０ａを挿通した下側導電ゴム体１０，１０を定着するように設ける。隆起条９ａは下側導電ゴム体１０，１０の下半下の高さにとどめられている。
【０００６】
下側導電ゴム体１０，１０上を覆う形にて離れた位置に板状をした上側導電ゴム体１３を設ける。該ゴム体１３の上面はコード部材９の上側内面に定着している。上側導電ゴム体１３は中間下に等しい間隙Ａ，Ａをもって下側導電ゴム体１０，１０の内面間に嵌入する中間垂体１１を設ける。中間垂体１１の下端面は前記の隆起条９ａに接面するか、わずかに離れている。
【０００７】
上側導電ゴム体１３の外側両側は等しい間隙Ｂ，Ｂをもって下側導電ゴム体１０，１０の外面に相対する外側垂縁１２，１２を設ける。該間隙Ａ，ＢをＡ＜Ｂの関係にて外側の間隙Ｂを内側の間隙Ａより大きくする広狭差を附したのである。なお９ｂ，９ｂはコード部材９上の小突条である。
【０００８】
このようにして上側導電ゴム体１３の押しによって下側導電ゴム体１０，１０の双方に接触することによってスイッチをＯＮするように形成された線状スイッチは機械ラインや塀上などに配線して機械ラインの運転による危険の回避や防犯などに役立てられるが、縦方向等の曲折配線などにより例えば線状スイッチに縦方向の圧縮力が加わっても図２に示すように中間垂体１１の下端が隆起条９ａの上面に当接して支えとなるために下側導電ゴム体１０，１０と上側導電ゴム体１３間の間隔は引続き保たれて接触しないで配線することができることとなる。なおスイッチＯＮするために上方から押し操作するときは図４に示すように中間垂体１１と隆起条９ａによる支えに抗して上側導電ゴム体１３が下降して下側導電ゴム体１０，１０に接触してスイッチをＯＮ作動することとなる。
【０００９】
また間隙をＡ＜Ｂの関係にて広狭差をもって外側の間隙Ｂを内側の間隙Ａより大きくしたために配線状態が弛みなどによって斜め潰れなどにより変形しても図３に示すように中間垂体１１が下側導電ゴム体１０，１０の一方の内面に当たり止まりするために他側の外側間隙Ｂは狭くなりながらも引続き間隙Ｂを保持してスイッチのＯＮ作動が生ぜずに維持されることとなる。なお図３の状態でもスイッチをＯＮするために上方でなく斜め上方から押圧したときも図５に示すように既に接触している一方の下側導電ゴム体１０と中間垂１１に続いて他方の下側導電ゴム体１０に外側垂縁１２が接触して下側導電ゴム体１０，１０間を通電してスイッチをＯＮすることとなる。なお他側の斜め上方から押したときも図５と対称形にて中間垂体１１と他方の下側導電ゴム体１０が接触し、外側垂縁１２と他方の下側導電ゴム体１０が接触するをもってスイッチをＯＮすることとなる。
【００１０】
【発明の効果】
以上のようにして、本発明によれば、直上方からは勿論のこと斜め上方からの押圧によってもスイッチをＯＮする線状スイッチを提供することができるという効果を生ずる。
【００１１】
上側導電ゴム体の中間垂体に当接して上下導電ゴム体間の間隔を保持する隆起条を設け、また該中間垂体と下側導電ゴム体間の嵌入間隙Ａより外側垂縁と下側導電ゴム体間の間隙Ｂを大とする広狭差を設けたので、曲折配線による圧縮歪み，潰れなどによって変形が生じても押し作動しない限りスイッチをＯＮしない線状スイッチを提供することができるという効果を生ずる。
【図面の簡単な説明】
【図１】  線状スイッチの常態を示す断面図
【図２】  曲折配線等によって圧縮力が加わり下側導電ゴム体と上側導電ゴム体の間隔がやや近付いた中間垂体の支え状態を示す断面図
【図３】  歪み等が生じても中間垂体が一方の下側導電ゴム体に当り止まることにより間隙Ｂを保持している状態を示す断面図
【図４】  直上方からの押しによりスイッチをＯＮ作動した状態を示す断面図
【図５】  斜め上方からの押しによりスイッチをＯＮ作動した状態を示す断面図
【符号の説明】
９はコード部材
９ａは隆起突条
９ｂ，９ｂは小突条
１０，１０は下側導電ゴム体
１０ａ，１０ａは接点線
１１は中間垂体
１２，１２は外側垂縁
１３は上側導電ゴム体
【図１】
0004484182.tif 000002
【図２】
0004484182.tif 000003
【図３】
0004484182.tif 000004
【図４】
0004484182.tif 000005
【図５】
0004484182.tif 000006